(57)【要約】      （修正有）【課題】排水口における悪臭・有害ガスの除去効果、衛生害虫等の侵入遮断効果を側溝自体でもって実現することができ、衛生管理がしやすく、洗浄作業など保守管理にも便利な側溝構造を提供する。【解決手段】側溝構造１０は、水の流れる水路部２と、水路部の低位置に設けられる排水部３とを備え、排水部には水封式ドレイン４が設けられる。排水部は、水路部の末端位置に設けられ、側溝構造の上部には蓋部が備えられる。水封式ドレイン４は排水部３に対し着脱自在とする。【選択図】図３
0003198746.tif 000002
【実用新案登録請求の範囲】
【請求項１】
水の流れる水路部と、該水路部の低位置に設けられる排水部とを備えてなる側溝構造であって、該排水部には水封式ドレインが設けられていることを特徴とする、側溝構造。
【請求項２】
前記排水部は前記水路部の末端位置に設けられていることを特徴とする、請求項１に記載の側溝構造。
【請求項３】
前記水封式ドレインは前記排水部に対し着脱自在であることを特徴とする、請求項１または２に記載の側溝構造。
【請求項４】
前記水路部および排水部を覆う上蓋を備えていることを特徴とする、請求項１ないし３のいずれかに記載の側溝構造。
【請求項５】
前記上蓋を通して前記水封式ドレインを監視可能であることを特徴とする、請求項４に記載の側溝構造。
【考案の詳細な説明】
【技術分野】
【０００１】
本考案は側溝構造に係り、特にドレインの衛生管理をしやすく、洗浄作業など保守管理も便利な側溝構造に関するものである。
【背景技術】
【０００２】
側溝に関しては従来、複数の技術的提案がなされている。たとえば後掲特許文献１に開示されたものは、比較的流量が少ない平坦地で地表勾配と流水勾配を異なるものまたは逆勾配にしたい場合に、安価かつメンテナンス容易な排水用Ｕ字型側溝として、底部に可変勾配用のスロープドレインを備えた構成である。このスロープドレイン内にモルタルまたはコンクリートを流し込みコテ等で整形することにより流水勾配を自由に変えられるとしている。
【０００３】
側溝は、屋外のみならず屋内においても用いられる。たとえば食品加工場、魚市場、食肉加工市場等の高度の衛生管理が要求される施設である。これらにおいて用いられる側溝では特に、悪臭や有害ガスの除去、衛生害虫等の侵入防止のために、ドレイン（排水口）の管理が重要である。
【先行技術文献】
【特許文献】
【０００４】
【特許文献１】登録実用新案第３０３６５７９号公報「可変勾配完全開渠側溝」
【特許文献２】特開２００７−１０７３０７号公報「排水構造」
【考案の概要】
【考案が解決しようとする課題】
【０００５】
さて、食品加工場等の施設において用いられる側溝では上述のように、ドレインの管理が重要であるが、悪臭・有害ガスの除去や衛生害虫等の侵入遮断を効果的に行うためには水封を用いるのがよい。水封式ドレインに関しては従来、複数の技術的提案がなされており、たとえば特許文献２に開示されたものは、排水路の空間と床上の空間の分離の確実性を高めるために、排水口を有する排水枡と、排水口を取り囲む溝を有する水封槽と、水封カップとを備えた構成とし、水封カップは側壁および上部壁を有して側壁が溝に挿入されて水封槽とともに水封を形成可能なようにする、というものである。
【０００６】
しかし、従来の屋内用側溝において、側溝自体に水封構造を備えることによって衛生管理機能を高めたものは存在しない。そこで本考案が解決しようとする課題は、これら従来技術の問題点を踏まえ、排水口（ドレイン）における悪臭・有害ガスの除去効果、衛生害虫等の侵入遮断効果を側溝自体でもって実現することができ、これにより衛生管理機能が向上し、また衛生管理をしやすく、さらに洗浄作業など保守管理にも便利な、側溝構造を提供することである。
【課題を解決するための手段】
【０００７】
本願考案者は上記課題について検討した結果、排水部自体に水封式のドレインを設ける構成とし、さらにそれを着脱自在な構造とすることによって課題解決できることに想到し、それを基礎として本考案を完成するに至った。すなわち、上記課題を解決するための手段として本願で実用新案登録請求される考案、もしくは少なくとも開示される考案は、以下の通りである。
【０００８】
〔１〕  水の流れる水路部と、該水路部の低位置に設けられる排水部とを備えてなる側溝構造であって、該排水部には水封式ドレインが設けられていることを特徴とする、側溝構造。
〔２〕  前記排水部は前記水路部の末端位置に設けられていることを特徴とする、〔１〕に記載の側溝構造。
〔３〕  前記水封式ドレインは前記排水部に対し着脱自在であることを特徴とする、〔１〕または〔２〕に記載の側溝構造。
【０００９】
〔４〕  前記水路部および排水部を覆う上蓋を備えていることを特徴とする、〔１〕ないし〔３〕のいずれかに記載の側溝構造。
〔５〕  前記上蓋を通して前記水封式ドレインを監視可能であることを特徴とする、〔４〕に記載の側溝構造。
【考案の効果】
【００１０】
本考案の側溝構造は上述のように構成されるため、これによれば、特に屋内に設備される側溝において、排水口（ドレイン）における悪臭・有害ガスの除去効果、衛生害虫等の侵入遮断効果を側溝自体でもって実現することができる。そしてこれにより、衛生管理機能が向上し、また衛生管理をしやすくなる。
【００１１】
さらに着脱式の水封式ドレインを備えた本考案側溝構造によれば、必要に応じて随時取り外しが可能であるため、洗浄作業など保守管理も便利になる。また、本考案の側溝構造では、水路部に連なる排水部の表側に水封式ドレインが取り付けられるため、格子状の上蓋を通して、水封が正常に機能しているかどうか随時目視確認することができ、衛生状態の管理に便利である。
【図面の簡単な説明】
【００１２】
【図１】本考案側溝構造の実施例の側面図である。
【図２】実施例の上面図である。
【図３】実施例の上方斜視図である。
【図４】実施例に係る水封式ドレインの上方斜視図である。
【図５】実施例に係る水封式ドレインおよびその周辺の断面図である。
【考案を実施するための形態】
【００１３】
以下、図面により本考案を詳細に説明する。
図１は、本考案側溝構造の実施例の側面図である。また、
図２は実施例の上面図、図３は実施例の上方斜視図である。これらに示すように本側溝構造１０は、水の流れる水路部２と、水路部２の低位置に設けられる排水部３とを備え、排水部３には水封式ドレイン４が設けられていることを、主たる構成とする。図示するように排水部３は、水路部２の末端位置に設けられた構成とすることができるが、本考案はこれに限定されない。
【００１４】
たとえば、水路部２の中央位置など末端ではない位置に排水部を設ける構成としてもよい。また、側溝構造１０の上部には上蓋８を備えることができる。これは、格子板状の構造など、内部（水路部２、排水部３）を目視確認できる構造が好適に用いられる。
【００１５】
図４は、実施例に係る水封式ドレインの上方斜視図である。また、図５は、水封式ドレインおよびその周辺の断面図である。これらに示すように本側溝構造１０の水封式ドレイン４は、排水部３に対し着脱自在な構成とすることができる。水封式ドレインが排水部に固定されている構成も本考案からは除外されないが、着脱自在とすることにより、必要時には水封式ドレイン４を排水部３から取り外して清掃することができるなど、保守作業上便利であり、衛生管理上も好ましい。
【００１６】
図示するように水封式ドレイン４は、蓋部５、管部６、および排水部３の排水管９内側にねじ込んで固定するための固定部７とを備えて構成することができる。水封式ドレイン４を排水管９に固定する方式は任意であるが、ねじ込み式が便利である。また、水密用構造４Ｌや、弾性リング等の水密用部材４Ｓを使用する等、簡易な方式で水密を図るようにすればよい。
【００１７】
本考案の側溝構造１０は上述のように構成されるため、特に屋内に施工、設備される側溝において、排水部３における悪臭・有害ガスの除去効果、衛生害虫等の侵入遮断効果を側溝１０自体でもって実現できる。これにより、衛生管理機能が向上し、また衛生管理をしやすくなる。特に着脱式の水封式ドレイン４を備える構成によれば、必要に応じて随時取り外しが可能であるため、洗浄作業など保守管理も便利になる。
【００１８】
また、本考案の側溝構造１０では、水路部２に連なる排水部３の表側に水封式ドレイン４が取り付けられるため、格子板状等の上蓋８を通して水封が正常に機能しているかどうかを随時目視確認、監視することができる。したがって、衛生状態の管理に便利である。
【産業上の利用可能性】
【００１９】
本考案の側溝構造によれば、特に屋内に設備される側溝において、排水口（ドレイン）における悪臭・有害ガスの除去効果、衛生害虫等の侵入遮断効果を側溝自体でもって実現することができる。したがって、排水設備を必要とする全ての産業分野およびその施工において、利用価値が非常に高い考案である。
【符号の説明】
【００２０】
２…水路部
３…排水部
４…水封式ドレイン
４Ｌ…水密用構造
４Ｓ…水密用部材
５…蓋部
６…管部
７…固定部
８…上蓋
９…排水管
１０…側溝構造
【図１】
0003198746.tif 000003
【図２】
0003198746.tif 000004
【図３】
0003198746.tif 000005
【図４】
0003198746.tif 000006
【図５】
0003198746.tif 000007
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
水の流れる水路部と、該水路部の低位置に設けられる排水部とを備えてなる側溝構造であって、該排水部には水封式ドレインが設けられていることを特徴とする、側溝構造。 
【請求項２】
前記排水部は前記水路部の末端位置に設けられていることを特徴とする、請求項１に記載の側溝構造。 
【請求項３】
前記水封式ドレインは前記排水部に対し着脱自在であることを特徴とする、請求項１または２に記載の側溝構造。 
【請求項４】
前記水路部および排水部を覆う上蓋を備えていることを特徴とする、請求項１ないし３のいずれかに記載の側溝構造。 
【請求項５】
前記水封式ドレインは前記排水部の表側に取り付けられ、前記上蓋は格子状であり、これにより該上蓋を通して該水封式ドレインを監視可能であることを特徴とする、請求項４に記載の側溝構造。
【手続補正２】
【補正対象書類名】明細書
【補正対象項目名】０００９
【補正方法】変更
【補正の内容】
【０００９】
〔４〕  前記水路部および排水部を覆う上蓋を備えていることを特徴とする、〔１〕ないし〔３〕のいずれかに記載の側溝構造。 
〔５〕  前記水封式ドレインは前記排水部の表側に取り付けられ、前記上蓋は格子状であり、これにより該上蓋を通して該水封式ドレインを監視可能であることを特徴とする、〔４〕に記載の側溝構造。